(57)【要約】【課題】背凭れ面方向への弾性変形許容度を大きくとれるばかりか、背凭れの斜め上方側から作用する力に対しても適度な変形が可能となり、部品単体としての強度にも優れるランバーサポート装置、及びそれを備える椅子を提供する。【解決手段】ランバーサポート装置４２の可撓部４６が、正面視で左右広幅をなすとともに、側面視において全体が緩やかに前方に凸状に屈曲する板状体５２であり、該板状体５２の上部には、左右方向に延びるスリット部４７が形成されている。【選択図】図４
2014083130.tif 000002
【特許請求の範囲】
【請求項１】
椅子に備え付けられるランバーサポート装置であって、
前記ランバーサポート装置の可撓部が、正面視で左右広幅をなすとともに、側面視において全体が緩やかに前方に凸状に屈曲する板状体であり、該板状体の上部には、左右方向に延びるスリット部が形成されていることを特徴とするランバーサポート装置。
【請求項２】
前記スリット部は、前記板状体の中央よりも上方部分に、水平に連続して形成されていることを特徴とする請求項１に記載のランバーサポート装置。
【請求項３】
前記板状体は、前記スリット部より下方部分に複数の細孔が形成されていることを特徴とする請求項１または２に記載のランバーサポート装置。
【請求項４】
前記スリット部は、前記板状体の上下幅の略４分の１を上方に残して、水平に連続して形成されていることを特徴とする請求項１ないし３のいずれかに記載のランバーサポート装置。
【請求項５】
前記板状体の上縁部が、該板状体自体の前記凸状の屈曲率よりも大きな屈曲率で後方へ屈曲していることを特徴とする請求項１ないし４のいずれかに記載のランバーサポート装置。
【請求項６】
ランバーサポート装置を備える椅子であって、
前記ランバーサポート装置の可撓部が、正面視で左右広幅をなすとともに、側面視において全体が緩やかに前方凸状に屈曲する板状体であり、前記板状体の上部には、左右方向に延びるスリット部が形成されていることを特徴とするランバーサポート装置を備える椅子。
【発明の詳細な説明】
【技術分野】
【０００１】
本発明は、背凭れに配置され、着座者の背中や腰部を支持し快適性を向上させるためのランバーサポート装置、及びランバーサポート装置を備える椅子に関する。
【背景技術】
【０００２】
椅子におけるランバーサポート装置の可撓部は、一般的に合成樹脂によって成型された板状をなし、椅子の背凭れに配置され、着座者の背中や腰部に対し、点接触ではなく面接触をすることによって、着座者に異物感を与えることなく背中や腰部を快適に支持できるようになっている。また、特に可撓部に背凭れ面方向の弾性変形機能を持たせ、着座者の背中の動きに追従するようになっているランバーサポート装置もある。このような着座者の背中や腰部を支持し快適性を向上させるためのランバーサポート装置は、例えば、下記文献に開示される椅子が挙げられる。
【先行技術文献】
【特許文献】
【０００３】
【特許文献１】特許第４５１８６０２号公報
【特許文献２】特許第４１９８０１４号公報
【特許文献３】特開２００８−２３７３９２号公報
【発明の概要】
【発明が解決しようとする課題】
【０００４】
これらの椅子におけるランバーサポート装置は、いずれも合成樹脂によって成型された板状をなしており、着座者の背中から腰部にかけて移動可能な構造になっており、着座者に異物感を与えることなく背中側を快適に支持することを目的としている。
【０００５】
そして、上記特許文献1、２、３に開示される椅子のランバーサポート装置においては、可撓部は、いずれも背中の形状にフィットするように側断面視において緩やかな弧状をなし、この緩やかな弧状と素材の弾性係数とが相俟って、着座者の背中の動きと追従する弾性変形許容度をランバーサポート装置に持たせている。
【０００６】
このように、弾性変形許容度については、背凭れ面方向への弾性変形許容度を大きくとられる。しかし、着座者が後ろ側に反った姿勢をとるような場合、ランバーサポート装置の可撓部には斜め上方からの荷重が加わることとなるが、可撓部の上側部も側断面視弧状をなしているため上方からの力に対して変形し難く、可撓部の上側部分だけは着座者の背中への追従性が劣ることになる。この可撓部の上側部分だけ合成樹脂製の板厚を薄くすることも考えられるが、可撓部の耐久性が問題になるばかりか、可撓部全体の３次元的な弾性変形の調整が極めて煩雑なものとなる。
【０００７】
本発明は、このような問題点に着目してなされたもので、背凭れ面方向への弾性変形許容度を大きくとれるばかりか、背凭れの斜め上方側から作用する力に対しても適度な変形が可能となり、部品単体としての強度にも優れるランバーサポート装置、及びそれを備える椅子を提供することを目的とする。
【課題を解決するための手段】
【０００８】
前記課題を解決するために、本発明のランバーサポート装置は、
椅子に備え付けられるランバーサポート装置であって、
前記ランバーサポート装置の可撓部が、正面視で左右広幅をなすとともに、側面視において全体が緩やかに前方に凸状に屈曲する板状体であり、該板状体の上部には、左右方向に延びるスリット部が形成されていることを特徴としている。
この特徴によれば、ランバーサポート装置の板状体の上部に左右方向に延びるスリット部が形成されているため、側面視において全体が緩やかに前方に凸状に屈曲する可撓部としての板状体は、その上部が一部前記板状体と区分けされ、該板状体の下部よりも利用者の背中に柔軟に追従できる幅狭帯状の可撓部として機能することになる。したがって、可撓部における背凭れ面方向への弾性変形許容度を大きく確保できるばかりか、斜め上方側からの力に対しても適度な変形が可能となる。
【０００９】
本発明のランバーサポート装置は、
前記スリット部は、前記板状体の中央よりも上方部分に、水平に連続して形成されていることを特徴としている。
この特徴によれば、板状体の上部に斜め上方側から加えられる力に対しても適度な変形が可能となる幅狭帯状の可撓部を確保できるとともに、その下側に可撓部面方向への弾性変形許容度を大きく確保できる幅広面状の可撓部を設けられることになる。
【００１０】
本発明のランバーサポート装置は、
前記板状体は、前記スリット部より下方部分に複数の細孔が形成されていることを特徴としている。
この特徴によれば、板状体のスリット部より下方部分に複数の細孔が形成されているので、板状体の下方部分における幅広面状の可撓部の弾性変形許容度が大きくなるように調整でき、その上側の幅狭帯状の可撓部の弾性変形許容度に合わせることができることとなる。
【００１１】
本発明のランバーサポート装置は、
前記スリット部は、前記板状体の上下幅の略４分の１を上方に残して、水平に連続して形成されていることを特徴としている。
この特徴によれば、板状体の上部に斜め上方側から加えられる力に対しても適度な変形が可能となる幅狭帯状の可撓部が板状体の上下幅の略４分の１の場所に形成されるため、その下側の幅広面状の可撓部において可撓部面方向への弾性変形許容度を十分確保できることになる。
【００１２】
本発明のランバーサポート装置は、
前記板状体の上縁部が、該板状体自体の前記凸状の屈曲率よりも大きな屈曲率で後方へ屈曲していることを特徴としている。
この特徴によれば、板状体の上縁がその他の部位と比較して大きく屈曲しているので、上縁を有する幅狭帯状の可撓部の弾性変形許容度を小さく調整でき、その下側の幅広面状の可撓部と弾性変形許容度を合わせることができるばかりか、利用者が後ろ側に反った姿勢をとるような場合、屈曲により形成されるラウンド部により利用者の背中を保護できることとなる。
【００１３】
前記課題を解決するために、本発明のランバーサポート装置を備える椅子は、
ランバーサポート装置を備える椅子であって、
前記ランバーサポート装置の可撓部が、正面視で左右広幅をなすとともに、側面視において全体が緩やかに前方凸状に屈曲する板状体であり、前記板状体の上部には、左右方向に延びるスリット部が形成されていることを特徴としている。
この特徴によれば、ランバーサポート装置の板状体の上部に左右方向に延びるスリット部が形成されているため、側面視において全体が緩やかに前方に凸状に屈曲する可撓部としての板状体であっても、板状体の上部が一部前記板状体と区分けされ、板状体の下部よりも利用者の背中に柔軟に追従できる幅狭帯状の可撓部として機能することになる。したがって、可撓部における可撓部面方向への弾性変形許容度を大きく確保できるばかりか、斜め上方側からの力に対しても適度な変形が可能となる。
【図面の簡単な説明】
【００１４】
【図１】実施例１におけるランバーサポート装置、及びそれを備える椅子を示す正面図である。
【図２】ランバーサポート装置を備える椅子を示す側面図である。
【図３】（ａ）は、ランバーサポート装置を示す正面図であり、（ｂ）は、同じく（ａ）におけるＡ−Ａ断面を示す側断面図である。
【図４】ランバーサポート装置、及びそれを備える椅子を示す拡大斜視図である。
【発明を実施するための形態】
【００１５】
本発明に係る椅子を実施するための形態を実施例に基づいて以下に説明する。
【実施例】
【００１６】
実施例に係る椅子につき、図１から図４を参照して説明する。先ず図１の符号１は、本発明の適用された椅子である。
【００１７】
椅子１は、先端部にキャスタ２を備える放射状をなす５本の脚杆３を有する脚体４と、脚体４の中央に立設され、内部にガススプリング（図示略）が収容された伸縮式の脚柱５と、脚柱５の上端に後端部が固着された正面上方を向く支基６と、支基６の上方に支持された座７と、左右方向に延び前後方向に回動可能な軸８をもって支基６の左右両側にそれぞれ枢着され後方に延びる背凭れ支持杆９と、背凭れ支持杆９の後端上部に支持された背凭れ１０とを備えている。
【００１８】
図１および図２に示すように、支基６は、前後方向に延びた箱状をなし、その内部には、座７を正面側方向に向かって常時付勢する公知の付勢手段、例えば特開２００５−２１１２４４号公報に記載れているような圧縮コイルバネと、この圧縮コイルバネの付勢力を調節する調節手段（いずれも図示略）とが収容されている。なお、これらの付勢手段や調節手段は、本発明に直接関係しないので、具体的な構成および詳細な説明は省略する。
【００１９】
また、座７は、上面視で枠状をなす座フレーム１５と、この座フレーム１５に取り付けられた合成樹脂製の座板（図示略）と、座板の上面および外周面を覆うように取り付けられたクッション材１６とからなる。
【００２０】
そして、座フレーム１５の前部および後部には、上向きに傾斜されるとともに座フレーム１５の下方に離間されて前後に延びる両側部を有する角環状の支持環１７の前部と後部とがそれぞれ固着されている。また、支持環１７の前方の中間部は、支基６に設けられた圧縮コイルバネによって、正面側方向に付勢されている。また、支持環１７の両側部の後部は、背凭れ支持杆９の軸８よりやや後方に設けられた座支持部３０に回動可能に連結されており、背凭れ１０が背凭れ支持杆９とともに背面側方向に傾斜されると、座７の後部が背面側下方へ移動されるようになっている。
【００２１】
この座７の後部の移動に伴って、支持環１７が圧縮コイルバネによる付勢力に抗して、背面側下方に摺動され、座７の前部も背面側下方に移動される。このようにすることで、圧縮コイルバネの付勢力よる背凭れ１０の正面側方向への復帰回動力と、座７の正面側上方への復帰力とが得られて、着座者にとっての座り心地が向上する。
【００２２】
また、背凭れ支持杆９は、図２に示すように、前後方向に延設されるとともに後方側が上方に湾曲されている。この背凭れ支持杆９の前端部には、軸８が固着される軸孔８’が形成されている。そして、軸孔８’を介して背凭れ支持杆９と支基６とが枢着されることで、背凭れ支持杆９が軸８を中心として上下方向に回動可能になっている。
【００２３】
また、背凭れ支持杆９の軸孔８’よりも若干後方の外側面には、座支持部３０が上方に向けて突出され略三角形状をなすように形成されている。そして、座支持部３０の上端部には、上述の支持環１７が枢着される支持軸孔３１が形成されている。なお、座支持部３０よりも後方の背凭れ支持杆９の外側面には側面視で略方形をなし内方側に延設された凹状のオプション支持部３２が設けられており、このオプション支持部３２には、椅子１のオプションとして肘掛やメモ台等を支持するオプション支持杆（いずれも図示略）を取り付けることができるようになっている。
【００２４】
さらに、背凭れ支持杆９の後端部には、後述の下側支持フレーム２２の下部に設けられた係合凹部（図示略）と係合可能な凸状の係合凸部（図示略）と、上下方向に貫通する貫通孔（図示略）形成されている。
【００２５】
図１に示すように、背凭れ１０は、前後方向に連通する開口面が下方に向けて漸次若干狭幅となる略方形枠状をなす硬質合成樹脂製の背凭れフレーム１８と、この背凭れフレーム１８の開口面の正面側に張設された張材１９とからなる。また、張材１９は、メッシュ材が方形に加工されて、上下左右に緊張された状態で開口面に張設されている。なお、張材１９は、メッシュ材以外の材質、例えば、織布、帆布等からなってもよい。また、張材１９に替えて、板状の板部材で背面側が支持されたクッション材を背凭れフレーム１８の開口部分に配置してもよい。
【００２６】
また、背凭れフレーム１８は、上下方向の中央よりやや下方の部分が正面側に突出するように緩やかに屈曲する左右一対の横側支持フレーム２０、２０と、背面側に緩やかに突出するように湾曲する形状をなし横側支持フレーム２０、２０の上端部同士を連結する上側支持フレーム２１と、背面側下方に突出するように湾曲する形状をなし横側支持フレーム２０、２０の下端部同士を連結する下側支持フレーム２２とからなる。
【００２７】
さらに、下側支持フレーム２２の下部には、上述の背凭れ支持杆９の係合凸部（図示略）と係合可能な凹状の係合凹部（図示略）と、上述の背凭れ支持杆９の貫通孔に対応する位置に下側支持フレーム２２の内方に向けて延設された挿通孔（図示略）が設けられている。そして、この挿通孔と前述の貫通孔に締結具（図示略）が挿入されることで、背凭れフレーム１８と背凭れ支持杆９とが強固に固定されている。
【００２８】
また、図４に示すように、横側支持フレーム２０、２０の下部のそれぞれの対向面には、ランバーサポート装置４２が取り付けられて保持される取付部４３がそれぞれ設けられている。この取付部４３には、利用者がランバーサポート装置４２を上下方向に移動操作させるための操作杆４５が取り付けられている。そして、横側支持フレーム２０、２０の内面には、取付部４３が上下方向に摺動移動可能なガイドレール（図示略）が形成されているとともに、横側支持フレーム２０、２０には、その内側から外側に連通する縦長の縦長孔４４が設けられている。さらに、取付部４３がガイドレールに係合されるとともに、取付部４３から縦長孔４４を介して横側支持フレーム２０、２０の外側に操作杆４５が突出されている。
【００２９】
このように設けられた取付部４３に、ランバーサポート装置４２を、一時的に弾性変形させて、嵌入させることで取り付ける。これにより、利用者が操作杆４５を横側支持フレーム２０、２０の内方向に押圧させると、取付部４３を介してランバーサポート装置４２が左右方向に押圧されて撓み、取付部４３とガイドレールとの接触抵抗が下がり、取付部４３を上下方向に移動可能となる。この状態で操作杆４５を上下に移動させて、ランバーサポート装置４２を利用者の所望の位置に設定した後に、操作杆４５の押圧を解除する。そして、ランバーサポート装置４２が元の形状に復元されると、取付部４３が横側支持フレーム２０、２０の外方向に押圧され、取付部４３とガイドレールとの接触抵抗が高まり、取付部４３がガイドレールに対して固定される。このようにして、ランバーサポート装置４２が背凭れフレーム１８に固定されるとともに、上下方向に移動調整可能になっている。尚、ランバーサポート装置は、例えばガイドレールの上下方向に所定間隔で形成された係合凹部の一つに係合されており、当該ランバーサポート装置の側部に設けられた操作杆を上下に移動させるのみで、前記係合凹部から外れてガイドレールを摺動し所望の別の係合凹部に係合することで、高さ調整できるようにしても構わない。
【００３０】
次に、本発明に係るランバーサポート装置４２について図１および図３、図４に基づいて説明する。図１に示すように、背凭れフレーム１８の開口面には、椅子１の着座者の背中や腰部を支持するランバーサポート装置４２が取り付けられている。
【００３１】
このランバーサポート装置４２は、図３（ａ）および図４に示すように、正面視で左右広幅をなすとともに、図３（ｂ）に示すように、側面視において全体が緩やかに前方に凸状に屈曲する板状体５２からなる。そして、この板状体５２は、合成樹脂製であり、板状体５２全体が可撓変形可能な可撓部４６となっている。
【００３２】
また、ランバーサポート装置４２をなす板状体５２の中央よりも上部には、板状体５２の上下幅の略４分の１を上方に残して左右方向に水平に連続して形成され、板状体５２の前後方向に連通するスリット部４７が設けられており、可撓部が、上部側の幅狭帯状の可撓部４６’と下部側の幅広面状の可撓部４６’’とに区分けされている。そして、上部側の幅狭帯状の可撓部４６’は、板状体５２の下部よりも利用者の背中に柔軟に追従できる幅狭帯状の可撓部として機能することになる。
【００３３】
そして、ランバーサポート装置４２に斜め上方側から力が加えられると、スリット部４７の両端部周辺の板状体５２が捩れて変形されて、図３（ｂ）の一点鎖線に示すように、幅狭帯状の可撓部４６’全体が後方へ下がるようになっている。したがって、可撓部４６における可撓部面方向（背凭れ面方向）への弾性変形許容度を大きく確保できるばかりか、着座の際や着座時の斜め上方からの力に対しても適度な変形が可能となるため、着座者に不快感を与える虞がない。
【００３４】
一方で、スリット部４７の下側の幅広面状の可撓部４６’’には、複数の略円形の細孔４８が形成されている。この細孔４８の形成数により、板状体５２の下方部分における幅広面状の可撓部４６’の弾性変形許容度が大きくなるように調整されて、上側の幅狭帯状の可撓部４６’’の弾性変形許容度に合わせられている。
【００３５】
さらに、スリット部４７の側端には、スリットの上下幅よりも大きく開口された略円形をなし、板状体５２の前後方向に連通する連通孔４９がスリット部４７に連続して形成されている。この連通孔４９は応力逃がし部として機能し、スリット部４７に加えられた応力が、連通孔４９の外周に沿って上下左右に分散されるので、幅狭帯状の可撓部４６’の前後方向の変形が繰り返しなされても、 スリット部４７の両端に応力が集中して破損ことを防止できる。
【００３６】
また、図３（ｂ）に示すように、板状体５２の上縁部は、板状体自体の凸状の屈曲率よりも大きな屈曲率で後方へ屈曲されている。これにより、幅狭帯状の可撓部４６’の弾性変形許容度を小さく調整して、幅広面状の可撓部４６’’の弾性変形許容度に合わせされている。
【００３７】
さらに、板状体５２の両端部には、横側支持フレーム２０、２０の取付部４３にランバーサポート装置４２を取り付けるための係合片５０が設けられている。この係合片５０は、離間されて上下方向に並んで左右にそれぞれ２片設けられている。
【００３８】
このように、ランバーサポート装置の可撓部４６が、正面視で左右広幅をなすとともに、側面視において全体が緩やかに前方に凸状に屈曲する板状体５２であり、該板状体の上部に左右方向に延びるスリット部４７が形成されているため、側面視において全体が緩やかに前方に凸状に屈曲する可撓部４６としての板状体は、その上部が一部前記板状体と区分けされ、板状体の下部よりも利用者の背中に柔軟に追従できる幅狭帯状の可撓部として機能することになる。したがって、可撓部における背凭れ面方向への弾性変形許容度を大きく確保できるばかりか、斜め上方からの力に対しても適度な変形が可能となる。
【００３９】
また、スリット部４７は、板状体の中央よりも上方部分に、水平に連続して形成されているので、板状体５２の上部に斜め上方側から加えられる力に対しても適度な変形が可能となる幅狭帯状の可撓部４６’を確保できるとともに、その下側に可撓部面方向への弾性変形許容度を大きく確保できる幅広面状の可撓部４６’’を設けられることになる。
【００４０】
また、板状体５２は、スリット部４７より下方部分に複数の細孔４８が形成されているので、板状体５２の下方部分における幅広面状の可撓部４６’の弾性変形許容度が大きくなるように調整でき、その上側の幅狭帯状の可撓部４６’’の弾性変形許容度に合わせることができることとなる。
【００４１】
また、スリット部４７は、板状体５２の上下幅の略４分の１を上方に残して、水平に連続して形成されているので、板状体５２の上部に斜め上方側から加えられる力に対しても適度な変形が可能となる幅狭帯状の可撓部４６’が板状体５２の上下幅の略４分の１の場所に形成されるため、その下側の幅広面状の可撓部４６’’において可撓部面方向への弾性変形許容度を十分確保できることになる。
【００４２】
また、板状体５２の上縁部が、該板状体自体の凸状の屈曲率よりも大きな屈曲率で後方へ屈曲していることで、板状体５２の上縁がその他の部位と比較して大きく屈曲しているので、上縁を有する幅狭帯状の可撓部４６’の弾性変形許容度を小さく調整でき、その下側の幅広面状の可撓部４６’’と弾性変形許容度を合わせることができるばかりか、利用者が後ろ側に反った姿勢をとるような場合、屈曲により形成されるラウンド部５１により利用者着の背中を保護できることとなる。
【００４３】
また、本発明のランバーサポート装置４２を備える椅子１においては、ランバーサポート装置４２の可撓部が、正面視で左右広幅をなすとともに、側面視において全体が緩やかに前方凸状に屈曲する板状体５２であり、該板状体５２の上部には、左右方向に延びるスリット部４７が形成されているため、側面視において全体が緩やかに前方に凸状に屈曲する可撓部４６としての板状体５２は、該板状体５２の上部が一部前記板状体と区分けされ、該板状体の下部よりも利用者の背中に柔軟に追従できる幅狭帯状の可撓部４６’として機能することになる。したがって、可撓部４６における可撓部面方向への弾性変形許容度を大きく確保できるばかりか、斜め上方側からの力に対しても適度な変形が可能となる。
【００４４】
また、板状体５２に左右方向に延びるスリット部４７を設けることで、板状体５２の上側は幅狭帯状の可撓部４６’となり、斜め上方から力が加えられると、図３（ｂ）の一点鎖線に示すように、幅狭帯状の可撓部４６’全体が後方へ下がるように、スリット部４７の両端部周辺の板状体５２が捩れて変形する。 すなわち、ランバーサポート装置４２の上部が大きく後方へ屈曲することとなるので、ランバーサポート装置４２を単なる板状としたり、上下方向に延びるスリットを設けたりした場合と比較して、ランバーサポート装置４２全体としての前後方向への弾性変形許容度を大きくすることができる。
【００４５】
また、スリット部４７の側端にスリットの上下幅よりも大きく開口された略円形の応力逃がし部が形成されているので、幅狭帯状の可撓部４６’の前後方向の変形が繰り返しなされても、 スリット部４７の両端に応力が集中して破損ことを防止できる。
【００４６】
また、板状体５２の上縁が他の部位よりも大きな屈曲率をもって屈曲されているので、 上緑における前後方向の弾性変形許容度は幅狭帯状の可撓部４６’の他の部位に比較して小さくなり、 幅狭帯状の可撓部４６’全体が均一に前後方向へ弾性変形するようになるので、利用者の背中が面で支えられてフィット感が向上される。
【００４７】
また、ランバーサポート装置４２が、左右両端に形成された複数の係合片５０により取付部４３に取り付けられることで、着座者がランバーサポート装置４２により大きな力を加えても、ランバーサポート装置４２が取付部４３から外れたり、斜めに傾いたりすることが防止され、板状体５２が利用者の背中等に追従して十分に変形されるので、着座者のフィット感が向上される。
【００４８】
また、上述のようなランバーサポート装置４２を椅子１に取り付けることで、背凭れの斜め上方側から作用する力に対しても適度に変形して、着座者の背中や腰部をしっかりと支えて、着座者に快適な使用感を与えることができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、スリット部４７を左右方向に延びる1本のスリット状の開口として形成したが、スリット状の開口を左右方向に複数本形成するようにしてもよい。
【００５１】
また、前記実施例では、ランバーサポート装置４２の下側に複数の略円形の細孔４８を形成して、幅広面状の可撓部４６’の弾性変形許容度が大きくなるように調整しているが、細孔４８の形状は略円形に限られず、略楕円形や略方形等であってもかまわない。
【符号の説明】
【００５２】
１                椅子
４                脚体
５                脚柱
６                支基
７                座
１０              背凭れ
１８              背凭れフレーム
２０              横側支持フレーム
４２              ランバーサポート装置
４３              取付部
４４              縦長孔
４５              操作杆
４６              可撓部
４７              スリット部
４８              細孔
４９              連通孔
５０              係合片
５１              ラウンド部
５２              板状体
【図１】
2014083130.tif 000003
【図２】
2014083130.tif 000004
【図３】
2014083130.tif 000005
【図４】
2014083130.tif 000006